(57)【要約】【課題】ヒートポンプユニットを用いた効率のよい暖房運転を可能とする貯湯式暖房装置を提供する。【解決手段】湯水を貯湯する貯湯タンク２と、圧縮機２４、凝縮器２５、減圧手段２６、蒸発器２７を接続したヒートポンプ回路２８を有し、凝縮器２５を用いて負荷側の暖房を行う暖房熱源としてのヒートポンプユニット４と、貯湯タンク２からの湯水を加熱熱交換器３５へ循環させ貯湯タンク２に戻す加熱循環回路３４と、加熱循環回路３４に湯水を循環させる加熱循環ポンプ３６と、加熱熱交換器３５と蒸発器２７とを環状に接続する温調循環回路３７と、温調循環回路３７に熱媒を循環させる温調循環ポンプ３８とを備え、前記暖房中は、加熱循環ポンプ３６および温調循環ポンプ３８の回転数を制御して加熱熱交換器３５における熱交換量を調整し、加熱熱交換器３５から蒸発器２７に流入させる熱媒の温度を所定温度となるように制御するようにした。【選択図】  図１
2011027299.tif 000002
【特許請求の範囲】
【請求項１】
湯水を貯湯する貯湯タンクと、圧縮機、凝縮器、減圧手段、蒸発器を冷媒配管で環状に接続したヒートポンプ回路を有し、前記凝縮器を用いて負荷側の暖房を行う暖房熱源としてのヒートポンプユニットと、前記貯湯タンクからの湯水を加熱熱交換器へ循環させ前記貯湯タンクに戻す加熱循環回路と、該加熱循環回路に湯水を循環させる加熱循環ポンプと、前記加熱熱交換器と前記蒸発器とを環状に接続する温調循環回路と、該温調循環回路に熱媒を循環させる温調循環ポンプとを備え、前記加熱循環ポンプおよび前記温調循環ポンプおよび前記ヒートポンプユニットを動作させ、前記加熱熱交換器で前記貯湯タンクからの湯水と前記温調循環回路の熱媒とを熱交換させ、前記温調循環回路の熱媒を加熱し、前記蒸発器で前記温調循環回路の熱媒と前記ヒートポンプ回路の冷媒とを熱交換させ、前記ヒートポンプ回路の冷媒側に吸熱させ、前記暖房を行うようにしたことを特徴とする貯湯式暖房装置。
【請求項２】
前記暖房中は、前記加熱循環ポンプおよび前記温調循環ポンプの回転数を制御して前記加熱熱交換器における熱交換量を調整し、前記加熱熱交換器から前記温調循環回路を介して前記蒸発器に流入させる熱媒の温度を所定温度となるように制御したことを特徴とする請求項１記載の貯湯式暖房装置。
【発明の詳細な説明】
【技術分野】
【０００１】
この発明は、貯湯タンク内の湯水を利用して暖房運転を行う貯湯式暖房装置に関するものである。
【背景技術】
【０００２】
従来この種の貯湯式暖房装置においては、貯湯タンク内の温水を、圧縮機、凝縮器、減圧手段、蒸発器を冷媒配管で環状に接続したヒートポンプ回路を有するヒートポンプユニットの蒸発器に流入させ、蒸発器で温水の熱を冷媒に汲み上げて、ヒートポンプユニットの凝縮器を用いて床暖房等の負荷側を加熱する暖房運転を行うものがあり、暖房運転の際、貯湯タンクからヒートポンプユニットの蒸発器に供給する温水には貯湯タンク内の中温水を使用し、蒸発器に供給する温水の温度を、中温水の温度域またはそれよりも低い温度域に制御するものであった。（例えば、特許文献１参照。）
【先行技術文献】
【特許文献】
【０００３】
【特許文献１】特開２００４−２１８９２１号公報
【発明の概要】
【発明が解決しようとする課題】
【０００４】
ところで、この従来の貯湯式暖房装置は、貯湯タンク内が高温の温水で満タンであった場合、貯湯タンクからヒートポンプユニットの蒸発器に流入させる温水の温度を制御することができず、蒸発器に高温の温水をそのまま流入させて暖房運転を行うと、ヒートポンプユニットの蒸発器側が過負荷となり、圧縮機から吐出される冷媒の吐出温度が高くなるため、圧縮機を保護するための圧縮機停止制御がはたらき、ヒートポンプユニットが停止してしまう。そのため、暖房運転を継続することができなくなってしまい、ヒートポンプユニットを用いた効率的な暖房運転を行うことができないという問題を有するものであった。
【０００５】
また、貯湯タンク内が高温の温水で満タンであった場合に、例えば貯湯タンクの温水を蒸発器に間欠的に流入させるというように、蒸発器への流入量を調整する方法が考えられるが、この方法を用いても高温の温水が流入することに変わりなく、蒸発器に高温の温水が流入された当初は過負荷になり、上記したものと同様にヒートポンプユニットが停止して暖房運転を継続することができなくなる場合があり、ヒートポンプユニットを用いた効率的な暖房運転を行うことができないという問題を有するものであった。 
【課題を解決するための手段】
【０００６】
この発明は上記課題を解決するために、特に請求項１ではその構成を、湯水を貯湯する貯湯タンクと、圧縮機、凝縮器、減圧手段、蒸発器を冷媒配管で環状に接続したヒートポンプ回路を有し、前記凝縮器を用いて負荷側の暖房を行う暖房熱源としてのヒートポンプユニットと、前記貯湯タンクからの湯水を加熱熱交換器へ循環させ前記貯湯タンクに戻す加熱循環回路と、該加熱循環回路に湯水を循環させる加熱循環ポンプと、前記加熱熱交換器と前記蒸発器とを環状に接続する温調循環回路と、該温調循環回路に熱媒を循環させる温調循環ポンプとを備え、前記加熱循環ポンプおよび前記温調循環ポンプおよび前記ヒートポンプユニットを動作させ、前記加熱熱交換器で前記貯湯タンクからの湯水と前記温調循環回路の熱媒とを熱交換させ、前記温調循環回路の熱媒を加熱し、前記蒸発器で前記温調循環回路の熱媒と前記ヒートポンプ回路の冷媒とを熱交換させ、前記ヒートポンプ回路の冷媒側に吸熱させ、前記暖房を行うものとした。
【０００７】
また、請求項２では、前記暖房中は、前記加熱循環ポンプおよび前記温調循環ポンプの回転数を制御して前記加熱熱交換器における熱交換量を調整し、前記加熱熱交換器から前記温調循環回路を介して前記蒸発器に流入させる熱媒の温度を所定温度となるように制御するものとした。
【発明の効果】
【０００８】
この発明によれば、暖房中は、貯湯タンクから加熱熱交換器に供給される温水の温度に依らず、加熱循環ポンプおよび温調循環ポンプの回転数を制御して加熱熱交換器における熱交換量を調整し、加熱熱交換器から温調循環回路を介して蒸発器に流入させる熱媒の温度を所定温度となるように制御して、ヒートポンプユニットの蒸発器に安定した温度の熱媒を流入させるので、ヒートポンプユニットを用いた効率的な暖房運転を行うことができ、且つ十分な暖房出力を得ることができるものである。
【図面の簡単な説明】
【０００９】
【図１】この発明の一実施形態の貯湯式暖房装置の概略構成図。
【図２】この発明の他の実施形態の貯湯式暖房装置の概略構成図。
【発明を実施するための形態】
【００１０】
次に、この発明の一実施形態の貯湯式暖房装置を図１に基づき説明する。
１は湯水を貯湯する貯湯タンク２を備えた貯湯タンクユニット、３は貯湯タンク２内の湯水を加熱する加熱手段としての第１ヒートポンプユニット、４は被空調空間を加熱暖房する床暖房パネル等の負荷端末５の暖房熱源としての第２ヒートポンプユニットである。
【００１１】
６は貯湯タンク２と第１ヒートポンプユニット３とを循環可能に接続するヒーポン循環回路で、貯湯タンク２下部に接続されたヒーポン往き管７および貯湯タンク２上部に接続されたヒーポン戻り管８により構成され、ヒーポン往き管７から取り出した貯湯タンク２内の湯水をヒートポンプユニット３によって沸き上げてヒーポン戻り管８から貯湯タンク２内に戻して高温の温水を貯湯するものである。なお、貯湯タンク２側面には上下方向に複数個の貯湯温度検出手段としての貯湯温度センサ９を有しており、この貯湯温度センサ９が検出する温度情報によって、貯湯タンク２にどれだけの熱量が残っているかを検知するものである。
【００１２】
１０は貯湯タンク２上端に接続され貯湯タンク２内の温水を出湯する出湯管、１１は貯湯タンク２下端に接続され貯湯タンク２内に給水する給水管、１２は出湯管１０からの温水と給水管１１からの水とを所定の設定温度になるように混合する混合弁、１３は混合弁１２で混合された設定温度の温水を給湯する給湯管、１４は給湯管１３の端部に接続され台所や洗面所等に設けられた蛇口である。１５は混合弁１２の下流に設けた給湯温度センサ、１６は給湯量をカウントする給湯流量センサである。
【００１３】
前記第１ヒートポンプユニット３は、冷媒を圧縮する回転数可変の第１圧縮機１７と、第１凝縮器としての水冷媒熱交換器１８と、第１減圧手段としての第１膨張弁１９と、強制空冷式の第１蒸発器としての空気熱交換器２０とで構成された第１ヒートポンプ回路２１と、前記ヒーポン往き管７に設けられ貯湯タンク２内の湯水を水冷媒熱交換器１８に循環させるヒーポン循環ポンプ２２と、それらの駆動を制御する第１ヒーポン制御部２３とを備えているものである。なお、第１ヒートポンプユニット３の冷媒としては、二酸化炭素冷媒やＨＦＣ冷媒等の任意の冷媒を用いることができるが、ここでは、貯湯タンク２内の湯水を給湯や暖房に使用し多くの熱量を消費するため、貯湯タンク２内の湯水を高温に効率良く沸き上げることができる二酸化炭素冷媒を第１ヒートポンプユニット３の冷媒として用いるのが好適である。
【００１４】
前記第２ヒートポンプユニット４は、冷媒を圧縮する回転数可変の第２圧縮機２４と、第２圧縮機２４からの高圧冷媒と負荷端末５側の熱媒との熱交換を行う第２凝縮器としての負荷側熱交換器２５と、負荷側熱交換器２５から流出する冷媒を減圧する第２減圧手段としての第２膨張弁２６と、第２膨張弁２６からの低圧冷媒を流通させこの低圧冷媒と熱源側の熱媒との熱交換を行う第２蒸発器としての熱源側熱交換器２７とで構成された第２ヒートポンプ回路２８と、負荷端末５で放熱された熱媒を負荷側熱交換器２５に循環させる負荷側循環ポンプ２９と、それらの駆動を制御する第２ヒーポン制御部３０とを備えているものである。なお、第２ヒートポンプユニット４の冷媒としては、二酸化炭素冷媒やＨＦＣ冷媒等の任意の冷媒を用いることができるが、ここでは、負荷端末５等を用いた暖房で使用する温度帯（例えば、３０℃〜６０℃）を考慮して、負荷端末５側の熱媒を前記温度帯に効率良く加熱することができるＲ４１０Ａ等のＨＦＣ冷媒を第２ヒートポンプユニット４の冷媒として用いるのが好適である。
【００１５】
３１は負荷端末５と負荷側熱交換器２５とを環状に接続し負荷側循環ポンプ２９により不凍液等の熱媒を循環させる負荷側循環回路、３２は負荷側循環回路３１の負荷端末５の上流側に設けられ熱媒を複数の負荷端末５に分岐させる往きヘッダー、３３は負荷側循環回路３１の負荷端末５の下流側に設けられた戻りヘッダーである。なお、往きヘッダー３２および戻りヘッダー３３は３系統の負荷端末５を接続できるものであるが、ここでは１系統の負荷端末５のみを図示し残りの２系統の負荷端末５を省略することとする。
【００１６】
３４は貯湯タンク２上部からの湯水を加熱熱交換器３５へ循環させ貯湯タンク２下部に戻す加熱循環回路、３６は加熱循環回路３４に貯湯タンク２からの湯水を循環させる加熱循環ポンプ、３７は前記第２ヒートポンプユニット４の熱源側熱交換器２７と加熱熱交換器３５とを環状に接続した温調循環回路、３８は温調循環回路３７に設けられ不凍液等の熱媒を循環させる温調循環ポンプ、３９は温調循環回路３７に設けられ加熱熱交換器３５から熱源側熱交換器２７に流入させる熱媒の温度を検出する温度検出手段としての温度センサである。
【００１７】
４０は第１ヒーポン制御部２３、第２ヒーポン制御部３０、負荷端末５による暖房運転開始・停止を指示するリモコン（図示せず）と無線または有線により接続され相互に通信すると共に、貯湯タンクユニット１内の各センサの入力を受け各アクチュエータの駆動を制御するマイコンを有し、給湯および暖房の制御を行う制御部である。
【００１８】
ここで、貯湯タンク２内の湯水を第１ヒートポンプユニット３により加熱し貯湯タンク２に高温の温水を貯湯する貯湯運転について説明する。
制御部４０は、電力単価が安価な深夜電力時間帯に貯湯温度センサ９の検出温度により貯湯タンク２内に翌日に必要な熱量が残っていないことを検知すると、第１ヒーポン制御部２３に対して貯湯運転開始指令を発する。指令を受けた第１ヒーポン制御部２３は第１圧縮機１７を起動させた後にヒーポン循環ポンプ２２の駆動を開始させ、貯湯タンク２下部に接続されたヒーポン往き管７から取り出した低温の水を水冷媒熱交換器１８に循環させて高温に加熱し、貯湯タンク２上部に接続されたヒーポン戻り管８から貯湯タンク２内に戻し、貯湯タンク２の上部から順次積層して高温の温水を貯湯していく。制御部４０は、貯湯温度センサ９の検出温度により必要な熱量が貯湯されたことを検出すると、第１ヒーポン制御部２３に対して貯湯運転停止指令を発し、第１ヒーポン制御部２３は第１圧縮機１７を停止させると共にヒーポン循環ポンプ２２も停止させ貯湯運転を終了するものである。
【００１９】
次に、暖房運転について説明する。
前記リモコンにより負荷端末５による被空調空間の暖房の指示がなされると、制御部４０は加熱循環ポンプ３６、温調循環ポンプ３８の駆動を開始させると共に、第２ヒーポン制御部３０に運転開始を指示し、第２ヒーポン制御部３０は、第２圧縮機２４を起動させた後に負荷側循環ポンプ２９の駆動を開始させ、第２ヒートポンプユニット４を動作させ、暖房運転が開始される。
【００２０】
暖房運転が開始されると、加熱熱交換器３５において、貯湯タンク２上部からの高温の温水と温調循環回路３７の熱媒とを熱交換させ、温調循環回路３７の熱媒を加熱し、加熱された温調循環回路３７の熱媒が第２ヒートポンプユニット４の蒸発器である熱源側熱交換器２７に流入される。
【００２１】
そして、熱源側熱交換器２７において、温調循環回路３７の熱媒と第２ヒートポンプ回路２８の第２膨張弁２６から吐出された低温低圧の冷媒とを熱交換させ、温調循環回路３７の熱媒の熱を第２ヒートポンプユニット４の冷媒側に汲み上げて吸熱させ、第２ヒートポンプユニット４の凝縮器である負荷側熱交換器２５にて、第２圧縮機２４からの高圧冷媒と負荷端末５側の熱媒とを熱交換させ、負荷側熱交換器２５で加熱された負荷側循環回路３１の熱媒は、負荷側循環ポンプ２９の動作により負荷端末５に循環され、負荷側循環ポンプ２９の回転数を制御し負荷側循環回路３１の熱媒の循環流量を調整して、前記リモコンにより指示を受けた被空調空間が設定温度になるように加熱暖房するものである。
【００２２】
なお、この暖房運転では、加熱熱交換器３５から熱源側熱交換器２７に流入させる温調循環回路３７の熱媒の温度を、所定温度となるように制御している。そのため制御部４０は、加熱循環ポンプ３６および温調循環ポンプ３８の回転数を制御し、加熱循環回路３４を循環する温水の循環流量と温調循環回路３７を循環する熱媒の循環流量とを制御して、加熱熱交換器３５での熱交換量を調整し、温度センサ３９で検出する熱媒の温度を所定温度になるようにしているものであり、制御例を挙げて説明すると、制御部４０は温調循環ポンプ３８の回転数を予め定めた一定回転数で制御し温調循環回路３７を循環する熱媒の循環流量を一定とし、温度センサ３９で検出する温調循環回路３７の熱媒の温度が所定温度になるように、加熱循環ポンプ３６の回転数を可変制御し加熱循環回路３４を循環する温水の循環流量を可変させて、加熱熱交換器３５での熱交換量を調整しているものである。また、加熱循環ポンプ３６の回転数を予め定めた一定回転数で制御し加熱循環回路３４を循環する温水の循環流量を一定とし、温度センサ３９で検出する温調循環回路３７の熱媒の温度が所定温度になるように、温調循環ポンプ３８の回転数を可変制御し温調循環回路３７を循環する温水の循環流量を可変させて、加熱熱交換器３５での熱交換量を調整してもよいものである。
【００２３】
ここで、前記所定温度の設定方法としては、予め第２ヒートポンプユニット４を用いて行った試験等から採取したデータを基に、第２ヒートポンプユニット４が効率よく動作する温度を選定し、その温度を所定温度として予め制御部４０に設定すればよいものである。
【００２４】
上記のように、暖房運転中は、貯湯タンク２から加熱熱交換器３５に、高温の温水が供給されようが、中温の温水が供給されようが、供給される温水の温度に依らず、加熱循環ポンプ３６および温調循環ポンプ３８の回転数を制御して、加熱循環回路３４を循環する温水の循環流量と温調循環回路３７を循環する熱媒の循環流量とを制御して、加熱熱交換器３５における熱交換量を調整し、加熱熱交換器３５から温調循環回路３７を介して第２ヒートポンプユニット４の蒸発器である熱源側熱交換器２７に流入させる熱媒の温度を所定温度となるように制御して、熱源側熱交換器２７に安定した温度の熱媒を流入させるので、ヒートポンプユニットを用いた効率的な暖房運転を行うことができ、且つ十分な暖房出力を得ることができるものである。
【００２５】
なお、本発明は上記の一実施形態に限定されるものではなく、本実施形態では、貯湯タンク２上部から取り出した温水を加熱熱交換器３５に循環させる構成としているが、貯湯タンク２の中間部から取り出した温水、または貯湯タンク２の下部から取り出した低温水を加熱熱交換器３５に循環させるような構成としてもよく、また、貯湯タンク２上部から取り出した温水を加熱熱交換器３５に循環させ、加熱熱交換器３５を通過した温水を貯湯タンク２下部に戻すようにしているが、加熱熱交換器３５を通過した温水を貯湯タンク２の中間部に戻すようにしてもよく、さらに、加熱熱交換器３５通過後の温水の温度を検出し、その検出温度に応じて、加熱熱交換器３５通過後の温水を、貯湯タンク２の中間部に戻すか貯湯タンク２下部に戻すかを選択できるような構成としてもよいものである。
【００２６】
また、本実施形態では、被空調空間を加熱する暖房運転には、床暖房パネル等の熱媒循環式の負荷端末５を用いているが、前記暖房運転に、第２ヒートポンプユニット４の凝縮器である負荷側熱交換器２５を用いて、エアコンの室内機のように被空調空間の空気と直接熱交換して被空調空間を加熱する形式のものを採用してもよいものである。
【００２７】
また、本実施形態では、貯湯タンク２内の湯水を加熱する加熱手段は、第１ヒートポンプユニット３のようにヒートポンプ式のものだけに限定されるものではなく、電熱ヒータで構成してもよいものである。
【００２８】
次に、この発明の他の実施形態の貯湯式暖房装置を図２に基づき説明するが、この実施形態は先に説明した一実施形態と同一部分については同一符号を付し説明を省略して相違する構成や作動についてのみ説明する。
４１はヒーポン戻り管８から分岐して加熱熱交換器３５に接続し、第１ヒートポンプユニット３で加熱された湯水を直接的に加熱熱交換器３５に流入させることができる分岐管で、この分岐管４１とヒーポン戻り管８の分岐点に、貯湯タンク２に循環させる湯水の量と加熱熱交換器３５に循環させる湯水の量の分配比率を調整する分配弁４２が設けられているものである。なお、この分配弁４２は、貯湯タンク２内の温水を利用する前記暖房運転時において、分配弁４２より下流側で貯湯タンク２上部と接続するヒーポン戻り管８と分岐管４１とを連通させ、貯湯タンク２上部から取り出した温水をヒーポン戻り管８、分岐管４１、加熱熱交換器３５の順に循環させて貯湯タンク２に戻す加熱循環回路３４を構成するように調整可能なものとする。
【００２９】
次に、暖房運転について説明するが、先に説明した一実施形態と同様に動作する負荷側循環ポンプ２９の動作を含む第２ヒートポンプユニット４の動作については説明を省略する。
前記リモコンにより負荷端末５による被空調空間の暖房の指示がなされると、制御部４０は、分配弁４２を分配弁４２より下流側で貯湯タンク２上部と接続するヒーポン戻り管８と分岐管４１とを連通させる状態に切り替え、加熱循環ポンプ３６、温調循環ポンプ３８の駆動を開始させると共に、第２ヒーポン制御部３０に運転開始を指示し、第２ヒーポン制御部３０は、第２ヒートポンプユニット４を動作させ、暖房運転が開始され、先に説明した一実施形態と同様に、加熱熱交換器３５から熱源側熱交換器２７に流入させる温調循環回路３７の熱媒の温度を、所定温度となるように制御するものである。
【００３０】
また、前記リモコンにより負荷端末５による被空調空間の暖房の指示がなされたとき、または前記暖房運転中に、制御部４０が、貯湯温度センサ９の検出温度により暖房運転に利用できる温水が所定量以下になった、または加熱熱交換器３５に流入させる温水の温度が所定温度以下になったと判断すると、制御部４０は、加熱循環ポンプ３６を停止させ、第１ヒートポンプユニット３からの温水が加熱熱交換器３５側だけに循環するように分配弁４２の分配比率を調整すると共に、第１ヒーポン制御部２３に運転開始を指示し、第１ヒーポン制御部２３は、第１圧縮機１７を起動させた後にヒーポン循環ポンプ２２の駆動を開始させて、第１ヒートポンプユニット３を動作させ、貯湯タンク２下部から取り出した低温水を第１ヒートポンプユニット３で加熱し、その加熱した温水を直接的に加熱熱交換器３５に循環させ、直接暖房運転（以下、直暖と略す）を行うものである。
【００３１】
なお、前記直暖を行う時も、加熱熱交換器３５から熱源側熱交換器２７に流入させる温調循環回路３７の熱媒の温度を、所定温度となるように制御している。そのため制御部４０が、温調循環ポンプ３８の回転数を制御し、第１ヒーポン制御部２３がヒーポン循環ポンプ２２を制御し、温調循環回路３７を循環する熱媒の循環流量と第１ヒートポンプユニット３から直接的に加熱熱交換器３５に循環させる温水の循環流量とを制御して、加熱熱交換器３５での熱交換量を調整し、温度センサ３９で検出する熱媒の温度を所定温度となるようにしているものであり、制御例を挙げて説明すると、第１ヒーポン制御部２３がヒーポン循環ポンプ２２の回転数を予め定めた一定回転数で制御し第１ヒートポンプユニット３から直接的に加熱熱交換器３５に循環させる温水の循環流量を一定とし、制御部４０が、温度センサ３９で検出する温調循環回路３７の熱媒の温度が所定温度になるように、温調循環ポンプ３８の回転数を可変制御し温調循環回路３７を循環する熱媒の循環流量を可変させて、加熱熱交換器３５での熱交換量を調整しているものである。
【００３２】
また、前記暖房運転中または前記直暖中に、制御部４０が、貯湯温度センサ９の検出温度により貯湯タンク２内の残湯量が少ないと判断し、前記貯湯運転の要求と直暖の要求とが同時に発生した場合、制御部４０は、第１ヒートポンプユニット３からの温水が貯湯タンク２側と加熱熱交換器３５側の両方に循環するように分配弁４２の分配比率を調整する。例えば、分配比率を５０：５０として、直暖を行いながら貯湯運転も同時に行うことができるものであり、その時その時の状況に合わせた最適な分配が可能となるものである。
【００３３】
なお、前記直暖と前記貯湯運転を同時に行う時も、加熱熱交換器３５から熱源側熱交換器２７に流入させる温調循環回路３７の熱媒の温度を、所定温度となるように制御している。そのため制御部４０が、温調循環ポンプ３８の回転数を制御し、第１ヒーポン制御部２３がヒーポン循環ポンプ２２を制御し、温調循環回路３７を循環する熱媒の循環流量と第１ヒートポンプユニット３から直接的に加熱熱交換器３５に循環させる温水の循環流量とを制御して、加熱熱交換器３５での熱交換量を調整し、温度センサ３９で検出する熱媒の温度を所定温度となるようにしているものであり、制御例を挙げて説明すると、制御部４０は、温調循環ポンプ３８の回転数を予め定めた一定回転数で制御し温調循環回路３７を循環する熱媒の循環流量を一定とし、第１ヒーポン制御部２３がヒーポン循環ポンプ２２の回転数を予め定めた一定回転数で制御すると共に、分配弁４２の分配比率を調整して第１ヒートポンプユニット３から直接的に加熱熱交換器３５側に循環させる温水の循環流量を制御して、加熱熱交換器３５での熱交換量を調整し、温度センサ３９で検出する温調循環回路３７の熱媒の温度を所定温度となるように制御しているものである。
【００３４】
上記のように、暖房運転中は、貯湯タンク２から加熱熱交換器３５に、高温の温水が供給されようが、中温の温水が供給されようが、供給される温水の温度に依らず、加熱循環ポンプ３６および温調循環ポンプ３８の回転数を制御して、加熱循環回路３４を循環する温水の循環流量と温調循環回路３７を循環する熱媒の循環流量とを制御して、加熱熱交換器３５における熱交換量を調整し、加熱熱交換器３５から温調循環回路３７を介して第２ヒートポンプユニット４の蒸発器である熱源側熱交換器２７に流入させる熱媒の温度を所定温度となるように制御して、熱源側熱交換器２７に安定した温度の熱媒を流入させるので、ヒートポンプユニットを用いた効率的な暖房運転を行うことができ、且つ十分な暖房出力を得ることができるものである。
【００３５】
さらに、直暖中、直暖と貯湯運転の同時運転中は、第１ヒートポンプユニット３から加熱熱交換器３５に、高温の温水が供給されようが、中温の温水が供給されようが、供給される温水の温度に依らず、直暖の場合は、ヒーポン循環ポンプ２２および温調循環ポンプ３８の回転数を制御して、温調循環回路３７を循環する熱媒の循環流量と第１ヒートポンプユニット３から直接的に加熱熱交換器３５に循環させる温水の循環流量とを制御して、加熱熱交換器３５での熱交換量を調整し、直暖と貯湯運転の同時運転中は、ヒーポン循環ポンプ２２および温調循環ポンプ３８の回転数を制御すると共に、分配弁４２の分配比率を調整して、温調循環回路３７を循環する熱媒の循環流量と第１ヒートポンプユニット３から直接的に加熱熱交換器３５に循環させる温水の循環流量とを制御して、加熱熱交換器３５での熱交換量を調整することで、加熱熱交換器３５から温調循環回路３７を介して第２ヒートポンプユニット４の蒸発器である熱源側熱交換器２７に流入させる熱媒の温度を所定温度となるように制御して、熱源側熱交換器２７に安定した温度の熱媒を流入させるので、ヒートポンプユニットを用いた効率的な暖房運転を行うことができ、且つ十分な暖房出力を得ることができるものである。
【００３６】
なお、本発明は上記の他の実施形態に限定されるものではなく、本実施形態では、貯湯タンク２上部から取り出した温水を加熱熱交換器３５に循環させる構成としているが、貯湯タンク２の中間部から取り出した温水、または貯湯タンク２の下部から取り出した低温水を加熱熱交換器３５に循環させるような構成としてもよく、また、貯湯タンク２上部から取り出した温水を加熱熱交換器３５に循環させ、加熱熱交換器３５を通過した温水を貯湯タンク２下部に戻すようにしているが、加熱熱交換器３５を通過した温水を貯湯タンク２の中間部に戻すようにしてもよく、さらに、加熱熱交換器３５通過後の温水の温度を検出し、その検出温度に応じて、加熱熱交換器３５通過後の温水を、貯湯タンク２の中間部に戻すか貯湯タンク２下部に戻すかを選択できるような構成としてもよいものである。
【００３７】
また、本実施形態では、被空調空間を加熱する暖房運転には、床暖房パネル等の熱媒循環式の負荷端末５を用いているが、前記暖房運転に、第２ヒートポンプユニット４の凝縮器である負荷側熱交換器２５を用いて、エアコンの室内機のように被空調空間の空気と直接熱交換して被空調空間を加熱する形式のものを採用してもよいものである。
【００３８】
また、本実施形態では、貯湯タンク２内の湯水を加熱する加熱手段は、第１ヒートポンプユニット３のようにヒートポンプ式のものだけに限定されるものではなく、電熱ヒータで構成してもよいものである。
【符号の説明】
【００３９】
２  貯湯タンク
４  第２ヒートポンプユニット
２４  圧縮機（第２圧縮機）
２５  凝縮器（負荷側熱交換器）
２６  減圧手段（第２膨張弁）
２７  蒸発器（熱源側熱交換器）
２８  ヒートポンプ回路（第２ヒートポンプ回路）
３４  加熱循環回路
３５  加熱熱交換器
３６  加熱循環ポンプ
３７  温調循環回路
３８  温調循環ポンプ
【図１】
2011027299.tif 000003
【図２】
2011027299.tif 000004